(57)【要約】【課題】  写真プリント等の出力に適した画像データのみをオペレータが容易に選択することのできる画像処理装置及び画像データ選択方法を提供する。【解決手段】  本発明は、読み出しの対象とする画像データをオペレータが任意に選択できる操作環境を提供する画像データ選択手段を備え、該画像データ選択手段は、前記ハードディスク又は前記記録メディアの指定した記憶領域に記憶されている全ての画像データについて、その縦横サイズを取得する縦横サイズ取得手段と、取得した縦横サイズを一覧表示する縦横サイズ表示手段とを備え、前記一覧表示された中から所望の縦横サイズを選択することにより対応するサイズの画像データ全ての情報を選択できるようにした、ことを特徴とする。【選択図】  図３
2006317994.tif 000002
【特許請求の範囲】
【請求項１】
ハードディスク又は記録メディアに記録されている画像データを読み出し、該読み出した画像データに対して所望の補正が行える画像処理装置において、
前記読み出しの対象とする画像データをオペレータが任意に選択できる操作環境を提供する画像データ選択手段を備え、
該画像データ選択手段は、
前記ハードディスク又は前記記録メディアの指定した記憶領域に記憶されている全ての画像データについて、その縦横サイズを取得する縦横サイズ取得手段と、
取得した縦横サイズを一覧表示する縦横サイズ表示手段とを備え、
前記一覧表示された中から所望の縦横サイズを選択することにより対応するサイズの画像データ全ての情報を選択できるようにした、
ことを特徴とする画像処理装置。
【請求項２】
前記縦横サイズ表示手段は、取得した前記縦横サイズに対応するプリントサイズも表示することを特徴とする請求項１に記載の画像処理装置。
【請求項３】
ハードディスク又は記録メディアに記録されている画像データをオペレータが任意に選択し、読み出すことのできる操作環境を提供する画像データ選択方法であって、
前記ハードディスク又は前記記録メディアの指定した記憶領域に記憶されている全ての画像データについて、その縦横サイズを取得する縦横サイズ取得ステップと、
取得した縦横サイズを一覧表示する縦横サイズ表示ステップとを備え、
前記一覧表示された中から所望の縦横サイズを選択することにより対応するサイズの画像データ全ての情報を選択できるようにした、
ことを特徴とする画像データ選択方法。
【請求項４】
前記縦横サイズ表示ステップにおいて、取得した前記縦横サイズに対応するプリントサイズも表示することを特徴とする請求項３に記載の画像データ選択方法。
【発明の詳細な説明】
【技術分野】
【０００１】
本発明は、記録メディア等に記録されている画像データを読み出し、該読み出した画像データに対して色濃度補正等の各種補正を行う画像処理装置及び読み出すべき画像データを選択するための画像データ選択方法に関する。
【背景技術】
【０００２】
近年、デジタルカメラは広く普及し、それに伴い、ＤＰＥ店等では、顧客が持ち込んだ各種記録メディア（例えば、メモリカードやＣＤ−Ｒ等）から画像データ（画像ファイル）を読み出し、該画像データに対して色濃度補正やコントラスト補正等のデジタル画像処理を施し、該処理後の画像データをプリントする、というサービスの提供も広く普及している。
【０００３】
上記サービスに係る一連の手順について説明する。先ず、顧客が持ち込んだ記録メディアを写真処理装置のメディアドライブに挿入する。そして、オペレータが、モニタに表示される操作画面を介して、挿入した記録メディアの種類を指定（フォルダ等の階層指定も含む）すると、当該記録メディアに記録されている画像データの情報（ファイル名、ファイルサイズ、種類、更新日時等）の一覧がモニタ上に表示される。
【０００４】
次に、オペレータは、かかる画像データ情報を参照して、写真処理等を施す所望の画像データを選択する。ここで選択した画像データは、所定数（例えば、６データ）ずつ、デジタル画像処理用の操作画面（いわゆる「ジャッジ画面」）に表示される。次に、オペレータは、該ジャッジ画面を介して、読み出した各画像データに色濃度補正やコントラスト補正等のデジタル画像処理を施したり、出力数（プリント枚数）等を設定することができる。
【０００５】
以上の画像処理が終了すると、オペレータはプリント指令を入力する。すると、写真処理装置のプリント処理部において、画像処理後の画像データを基に露光及び現像処理が行われ、設定した枚数分の写真プリントが生成され、出力される。
【発明の開示】
【発明が解決しようとする課題】
【０００６】
ところで、顧客が持ち込む記録メディアには、サムネイル画像データが記録されている場合がある。かかるサムネイル画像データは、データ数（ピクセル）が間引かれ、縮小された一覧表示用の画像であり、写真プリント等の出力目的から除外されるべきものである。上記従来の写真処理装置（詳細には、画像処理装置）では、容量が大きい記録メディアに記録された非常に多くの画像データを取り扱う場合（記録メディアの低価格化及び大容量化が進んでいる昨今の状況を鑑みると、かかるケースは増加傾向にあるといえる。）、オペレータが、サムネイル画像データを的確に除外し写真処理等の対象となる画像データのみを容易に選択できる環境が提供されていなかった。
【０００７】
したがって、従来では、画像データの選択時には、サムネイル画像データを除外することなく、一旦、ジャッジ画面に表示させていた。そして、オペレータは、ジャッジ画面に表示された画像を１画像ずつ確認し、サムネイル画像データであるか否かを判断し、サムネイル画像データと判断した場合には、例えば、プリント枚数を０に設定する等して、かかるサムネイル画像データに対する写真プリント等の出力が行われないようにしていた。
【０００８】
このように、オペレータが、サムネイル画像データを除外するためにジャッジ画面上の画像を１画像ずつチェックするという従来の手法では、効率が悪い上、看過や誤操作（プリント枚数を１以上に設定してしまうなど）を招きやすいという問題があった。
【０００９】
本発明は、上記従来の問題を解決するものであり、写真プリント等の出力に適した画像データのみをオペレータが容易に選択することのできる画像処理装置及び画像データ選択方法を提供することを目的とする。
【課題を解決するための手段】
【００１０】
本発明に係る画像処理装置は、ハードディスク又は記録メディアに記録されている画像データを読み出し、該読み出した画像データに対して所望の補正が行える画像処理装置において、前記読み出しの対象とする画像データをオペレータが任意に選択できる操作環境を提供する画像データ選択手段を備え、該画像データ選択手段は、前記ハードディスク又は前記記録メディアの指定した記憶領域に記憶されている全ての画像データについて、その縦横サイズを取得する縦横サイズ取得手段と、取得した縦横サイズを一覧表示する縦横サイズ表示手段とを備え、前記一覧表示された中から所望の縦横サイズを選択することにより対応するサイズの画像データ全ての情報を選択できるようにした、ことを特徴とする。
【００１１】
また、本発明に係る画像データ選択方法は、ハードディスク又は記録メディアに記録されている画像データをオペレータが任意に選択し、読み出すことのできる操作環境を提供する画像データ選択方法であって、前記ハードディスク又は前記記録メディアの指定した記憶領域に記憶されている全ての画像データについて、その縦横サイズを取得する縦横サイズ取得ステップと、取得した縦横サイズを一覧表示する縦横サイズ表示ステップとを備え、前記一覧表示された中から所望の縦横サイズを選択することにより対応するサイズの画像データ全ての情報を選択できるようにした、ことを特徴とする。
【００１２】
上記構成によれば、オペレータは、指定領域に記録されている全画像データについて、何通りの縦横サイズ（画像の大きさ）が存在するかを容易に把握できることで、サムネイル画像データ等の縮小画像やその他の縦横サイズに起因して出力に不適とされる画像データを的確に除外し、出力に適した画像データのみを容易に選択して読み出すことが可能になる。
【００１３】
また、読み出した画像データの縦横サイズ（例えば、ピクセル単位）に対応するプリントサイズ（例えば、インチ又はｍｍ単位）も表示する構成を採用してもよい。
【００１４】
上記構成によれば、オペレータは、例えば、プリントサイズが同じである画像データをまとめてプリントする際の参考にでき、プリント品質の維持が図れる。
【発明の効果】
【００１５】
以上の如く、本発明の画像処理装置及び画像データ選択方法によれば、出力に適した画像データの選択が容易となり、オペレータの作業効率が向上する。また、サムネイル画像データ等の出力に適さない画像データがプリント処理されてしまうことや、記録メディアに出力（記録）されてしまうことを防止できる。したがって、ロスペーパーの削減やサービス向上が図れる。
【発明を実施するための最良の形態】
【００１６】
以下、本発明の一実施形態に係る画像処理装置及び画像データ選択方法について図面を参酌しつつ説明する。
【００１７】
図１は、本実施形態に係る画像処理装置を備えた写真処理装置の外観図であり、図２は、該写真処理装置の内部構成を示すブロック図である。本写真処理装置は、写真フィルムＦや記録メディアＭから画像データを読み込み、該画像データに対して色濃度補正やコントラスト補正等のデジタル画像処理を施し、出力用の画像データを生成する画像処理装置１と、該画像処理装置１から出力された画像データを基に、感光材料ＰＡに画像をプリントするプリント装置２とで構成されている。
【００１８】
画像処理装置１は、写真フィルムＦから画像を読み取るフィルムスキャナ３と、メモリカードやＣＤ−Ｒ等の記録メディアＭに対して画像データの読み書き可能なメディアドライブ４ａと、記録メディアＭから読み出した多数の画像ファイルを記録可能な大容量のハードディスク４ｂ、画像処理装置１の制御を含む本写真処理装置全体を制御する主制御装置５と、写真フィルムＦや記録メディアＭから読み込んだ画像を表示するモニタ６及びオペレータからの操作指令を受け付ける入力装置７（キーボード７ａ及びマウス７ｂ）を備えている。尚、モニタ６をタッチパネル方式の入力が可能となるように構成し、顧客の指や専用の入力ペン等を使用して操作指令を受け付けるようにすることも可能である。
【００１９】
主制御装置５は、当該制御、演算の主体であるＣＰＵ８、画像処理用プログラム等が記憶されるＲＯＭ９ａ、処理用のワークエリア等として使用されるＲＡＭ９ｂ及び各種外部装置（フィルムスキャナ３、メディアドライブ４ａ、ハードディスク４ｂ、モニタ６及び入力装置７）とのＩ／Ｏ処理を行うＩ／Ｏ処理部１０をその内部に備えている。
【００２０】
プリント装置２は、画像処理装置１によって画像処理された画像データを基に感光材料ＰＡに対して露光処理する露光処理部１１と、露光処理された感光材料ＰＡを現像処理する現像処理部１２と、現像処理された感光材料ＰＡを乾燥処理する乾燥処理部１３と、乾燥処理されて写真となった感光材料ＰＡを仕分処理する仕分処理部１４とで構成されている。
【００２１】
露光処理部１１は、感光材料ＰＡを一対のマガジン１５ａ、１５ｂから引き出し、搬送用ローラ対１６によって下流側に搬送する。そして、ハロゲンランプ等からなる光源１７ａと、該光源１７ａに光ファイバ束１７ｂを介して接続された光シャッタ１７ｃとで構成されるＰＬＺＴ方式の露光装置１７によって、感光材料ＰＡを露光する。尚、露光装置１７は、ＰＬＺＴ方式に限らず、例えば、レーザ方式やＣＲＴ方式等であっても構わない。
【００２２】
現像処理部１２は、感光材料ＰＡに対して、現像、漂白、定着、安定化等の処理を行う。
【００２３】
乾燥処理部１３は、現像処理部１２から送られてくる感光材料ＰＡに熱風装置１８からの熱風を吹き付け、感光材料ＰＡに付着した現象液等を乾燥させる処理を行う。
【００２４】
仕分処理部１４は、露光処理、現像処理及び乾燥処理が施された感光材料ＰＡを大小別に仕分けるサイズ仕分部１９と、該サイズ仕分部１９で仕分けされた小さなサイズの感光材料ＰＡをオーダー毎に仕分けるオーダー仕分部２０とを有している。
【００２５】
サイズ仕分部１９は、大きなサイズの感光材料ＰＡをトレー２１に排出し、小さなサイズの感光材料ＰＡをコンベア２２に搬送する。オーダ仕分部２０は、コンベア２２によって搬送されてくる感光材料ＰＡを各受皿２３に対してオーダ毎に振り分ける。
【００２６】
次に、画像処理装置１による画像処理について説明する。まず、主制御装置５のＲＯＭ９ａにインストールされている画像処理用プログラムをＣＰＵ８が起動させると、モニタ６に図示しないメイン画面が表示される。オペレータは当該メイン画面にて処理すべき画像データを写真フィルムＦから読み取るか、記録メディアＭから読み取るかの選択を行う。
【００２７】
ここで、記録メディアＭからの読み取りを選択する（より詳細には、記録メディアＭの種類を選択する）と、図３に示す画像ファイル選択画面がモニタ６に表示される。図３において、表示当初の画像ファイル選択画面の「画像ファイル情報」フィールドには、メイン画面で選択した記録メディアＭ（例えば、メモリカード）の指定した記憶領域（デフォルトでは、ルートフォルダとする。）に記憶されている全画像ファイル（ＪＰＥＧ、ＢＭＰ形式のファイルなど）の情報（ファイル名、ファイルサイズ（容量）、更新日時など）が表示される。尚、画像ファイル以外のデータを表示させてもよい。
【００２８】
また、「画像の大きさ」フィールドには、指定した記憶領域に記憶されている全画像ファイル（表示当初では、「画像ファイル情報」フィールドに表示されている全画像ファイルと同じ）について、対応する全ての縦横（換言すれば、画像の高さと幅）サイズが、横（幅）×縦（高さ）の態様で表示される。
【００２９】
かかる縦横サイズの取得は、画像ファイル選択画面の表示に先んじて、縦横サイズ取得手段（主制御装置５が備える）により行われ、縦横サイズ表示手段（主制御装置５が備える）により、その結果が「画像の大きさ」フィールドに表示される。
【００３０】
表示当初の「入力メディア」フィールドには、メイン画面で選択した記録メディアＭのメディア種類が表示されているが、かかる「入力メディア」フィールドはリストボックス状に構成されており、その他の記録メディアＭ（例えば、ＣＤ−Ｒ等）に切り替えることも可能となっている（即ち、記録メディアＭを変更する際、メイン画面に戻って選択し直す必要がない。）。「フォルダ」フィールドも同様にリストボックス状に構成されており、「入力メディア」フィールドで選択した記録メディアＭに構築されているフォルダを任意に指定することが可能になっている。尚、「入力メディア」フィールドには、”ハードディスク”の項目もあり、これが選択されると画像ファイルの供給源（即ち、入力メディア）はハードディスク４ｂに変更される。
【００３１】
「入力メディア」フィールド又は「フォルダ」フィールドで、オペレータにより、別の記録メディアＭ又はフォルダに変更されると、それらの変更によって新たに指定される記憶領域に記憶されている全画像ファイルの情報が「画像ファイル情報」フィールドに表示され、「画像の大きさ」フィールドには、それらの画像ファイルについて、対応する全ての縦横サイズが表示されることになる。
【００３２】
また、「画像の大きさ」フィールドに表示されている各縦横サイズの何れかを選択状態にし（複数選択も可能である）、「非表示」項目（後述の「表示」項目と共にラジオボタン状に構成されている。）にチェックがある状態で、「選択」ボタンを押下すると、当該選択した縦横サイズに該当する画像ファイルの情報を非表示状態にすることができる。一方、「表示」項目にチェックがある状態で、「選択」ボタンを押下すると、当該選択した縦横サイズに該当する画像ファイルの情報のみを表示状態にすることができる。尚、「表示」項目と「非表示」項目は、ラジオボタン状に構成されているので、何れか一方がチェックされると、他方のチェックは外れる仕様となっている。
【００３３】
上記構成の画像ファイル選択画面を用いると、例えば、縦横サイズが他に比べ非常に小さく（例えば、”８０×６０”）、出力に適さない（例えば、サムネイル画像）と判断できるものを「画像の大きさ」フィールドで選択し、「非表示」項目にチェックされている状態で、「選択」ボタンを押下することで、かかる小さい縦横サイズ（”８０×６０”）に該当する画像ファイルの情報のみを非表示状態にすることができる。そして、かかる状態で「ＹＥＳ：ＯＫ」ボタンを押下することで、「画像ファイル情報」フィールドに表示されている画像ファイルの情報に係る画像データ（即ち、出力に適すると判断した縦横サイズに該当する画像データ）のみを、プリント等の出力対象の画像データとして、図示しないジャッジ画面（出力を希望する画像データに対して色濃度補正等のデジタル画像処理を施すことができる画面）に表示させることができる。
【００３４】
以上のように、本発明の本実施形態に係る画像処理装置及び画像データ選択方法によれば、オペレータは、サムネイル画像データ等の縦横サイズが小さく、出力に適さない画像データを的確に除外し、出力に適した画像データのみを容易に選択することができる。
【００３５】
尚、本発明は、上記実施形態に限定されることはなく、本発明の要旨を逸脱しない範囲で種々の変更が可能である。
【００３６】
例えば、上記実施形態では、「画像の大きさ」フィールドに画像データの縦横サイズのみを表示しているが、取得した縦横サイズに対応するプリントサイズ（具体的には、プリントする際にリサイズ（サイズ変更）する必要がない最小のプリントサイズ、あるいは、リサイズの幅が最小となるプリントサイズなどが該当する。）を表示させてもよい。
【００３７】
また、図３の画像ファイル選択画面は、あくまで一例であり、各フィールド、ボタン等の配置やレイアウト等は自由に変更可能であり、さらに、例えば、画像ファイルに含まれる付加情報（画像ファイルのヘッダ部に記録される、絞り値やシャッター速度等の撮影条件に係る情報）を使用して、自動補正を行うか否かの選択を可能にするチェックボックス等の従来の画像ファイル選択画面で既に提供されている操作手段を図３の画像ファイル選択画面に設けることも当然に可能である。
【図面の簡単な説明】
【００３８】
【図１】本発明の一実施形態に係る写真処理装置の外観図である。
【図２】同実施形態に係る写真処理装置の概略構成図である。
【図３】同実施形態おいて、モニタに表示された画像ファイル選択画面の一例を示す図である。
【符号の説明】
【００３９】
１…画像処理装置、２…プリント装置、３…フィルムスキャナ、４ａ…メディアドライブ、４ｂ…ハードディスク、５…主制御装置、６…モニタ、７…入力装置、８…ＣＰＵ、９ａ…ＲＯＭ、９ｂ…ＲＡＭ、１０…Ｉ／Ｏ処理部、１１…露光処理部、１２…現像処理部、１３…乾燥処理部、１４…仕分処理部、１５ａ，１５ｂ…マガジン、１６…搬送用ローラ対、１７…露光装置、１７ａ…光源、１７ｂ…光ファイバ束、１７ｃ…光シャッタ、１８…熱風装置、１９…サイズ仕分部、２０…オーダ仕分部、２１…トレー、２２…コンベア、２３…受皿
【図１】
2006317994.tif 000003
【図２】
2006317994.tif 000004
【図３】
2006317994.tif 000005